(57)【要約】【課題】  本考案は、例えば竪枠に竪枠パッキンを設置した遮音ドア等に用いられる竪枠取付型ピボットヒンジにおいて、前記竪枠パッキンに扉面が確実に当接するとともに、ドアの開閉時において、前記竪枠パッキンと前記ドアとの過度の摩擦抵抗による操作力を軽減する竪枠取付型ピボットヒンジを提供する。【解決手段】  壁面に嵌め込まれた上枠に設置される上枠側トップピボットと、上部回動軸を介して前記上枠側トップピボットと連結され、ドアの上方に設置されるドア側トップピボットと、前記ドアの下方に設置されるアームと、下部回動軸を介して前記アームと連結され、床面に設置される床面軸座から構成される竪枠取付型ピボットヒンジにおいて、前記ドアの幅方向の一端面と同一直線上に前記上部回動軸及び前記下部回動軸を設けたことを特徴とする竪枠取付型ピボットヒンジ。【選択図】  図３
0003128144.tif 000002
【実用新案登録請求の範囲】
【請求項１】
壁面に嵌め込まれた上枠に設置される上枠側トップピボットと、
上部回動軸を介して前記上枠側トップピボットと連結され、ドアの上方に設置されるドア側トップピボットと、
前記ドアの下方に設置されるアームと、
下部回動軸を介して前記アームと連結され、床面に設置される床面軸座から構成される竪枠取付型ピボットヒンジにおいて、
前記ドアの幅方向の一端面と同一直線上に前記上部回動軸及び前記下部回動軸を設けたことを特徴とする竪枠取付型ピボットヒンジ。
【請求項２】
竪枠に設置された竪枠パッキンと前記ドアの長さ方向の一端面が当接することを特徴とする請求項１記載の竪枠取付型ピボットヒンジ。
【考案の詳細な説明】
【技術分野】
【０００１】
本考案は、例えば竪枠に竪枠パッキンを設置した遮音ドア等に用いられる竪枠取付型ピボットヒンジにおいて、前記竪枠パッキンに扉面が確実に当接するとともに、ドアの開閉時において、前記竪枠パッキンと前記ドアとの過度の摩擦抵抗による操作力を軽減する竪枠取付型ピボットヒンジに関するものである。
【背景技術】
【０００２】
従来より、出願人は図１、図２及び図５に示すような竪枠取付型ピボットヒンジの実施を行っている。前記竪枠取付型ピボットヒンジは、建物の出入り口４の壁面２に嵌め込まれた前記上枠１１に設置された前記上枠側トップピボット６と、前記ドア側トップピボット７の上部回動軸１０ａを介して、前記上枠側トップピボット６に係合されドア３の上方に設置される前記ドア側トップピボット７と、前記ドア３の下方に設置される前記アーム８と、前記床面軸座９の下部回動軸１０ｂを介して、前記アーム８に係合され、床面５に設置される前記床面軸座９からなる。前記ドア３はこれらによって支持されており、上部回動軸１０ａと下部回動軸１０ｂからなる回動軸１０によって回動自在となり、図５に示す矢印のようにして、前記ドア３の開閉を行うことができるようになっている。
【０００３】
例えば、上枠及びドアの回動軸の近傍に設けられる吊り元側の竪枠及びドアの戸先側に設けられる戸先側の竪枠の３箇所にパッキンを設置した遮音ドア等に、このような竪枠取付型ピボットヒンジが設置される場合、その部分図を示すものとして、図１に示すように上枠１１に上枠パッキン１４ａ、図２及び図５に示すようにドアの吊り元側の竪枠１５に竪枠パッキン１４ｂ、ドアの戸先側の竪枠１５に竪枠パッキン１４ｃが取付けられることになる。このとき、図２に示すように、前記ドア３は前記上部回動軸１０ａと前記下部回動軸１０ｂを回動軸１０として、回動軌跡Ａのように回動し開閉される。
【０００４】
しかし、このような回動軌跡Ａで回動する為、前記竪枠パッキン１４ｂを押縮しながら前記ドア３は開閉されることになる。これによって、前記竪枠パッキン１４ｂと前記ドア３との過度の摩擦抵抗が生ずることから、前記ドア３の開閉時の操作力が大きくなることがあった。
【０００５】
そこで、このような事案にも対応する為、近年、扉支持用のピボットヒンジにおいて、扉を上枠に固着した後に微調整を行うことが要求されるようになってきており、これらの要請に沿うよう特許文献１に示すような発明が提案されている。特許文献１に示す発明では、固定ねじを緩めて調節ねじを回動すれば、ドアの取付位置を微調整することができ、再び固定ねじを締付ければドア側のベースを固定されることから、ドアの回動の振動にもドア位置が変化することのないピボットヒンジが開示されている。（例えば、特許文献１参照）。
【特許文献１】特開２００６−１６１４９０号公報
【考案の開示】
【考案が解決しようとする課題】
【０００６】
一方、建設現場或いはドアの取り付け作業においては、工期の短縮及び設置の簡易化が要求されている。また、これらの作業迅速化に伴い、現在ではドアの設置方法は竪枠取付型が主流となっている。しかし、特許文献１の発明のような構成では、扉を上枠に固着した後に微調整を行うことで前記竪枠パッキン１４ｂに扉面を確実に当接させるものであるため、結果として工期の短縮及び設置の簡易化に係る作業迅速化にそぐわない場合もある。
【０００７】
そこで、本考案はこのような問題点を解決するものであって、これらの作業迅速化及びドアの設置方法においては竪枠取付型であることを考慮して、前記竪枠パッキン１４ｂに扉面が確実に当接するとともに、ドアの開閉時において、前記竪枠パッキン１４ｂと前記ドアとの過度の摩擦抵抗による操作力を軽減する竪枠取付型ピボットヒンジを提供することを課題とする。
【課題を解決するための手段】
【０００８】
前記問題点を解決するために、本考案の請求項１に記載の考案の竪枠取付型ピボットヒンジは、壁面に嵌め込まれた上枠に設置される上枠側トップピボットと、上部回動軸を介して前記上枠側トップピボットと連結され、ドアの上方に設置されるドア側トップピボットと、前記ドアの下方に設置されるアームと、下部回動軸を介して前記アームと連結され、床面に設置される床面軸座から構成される竪枠取付型ピボットヒンジにおいて、前記ドアの幅方向の一端面と同一直線上に前記上部回動軸及び前記下部回動軸を設けたことを特徴とするものである。
【０００９】
本考案の請求項２に記載の考案の竪枠取付型ピボットヒンジは、請求項１記載の竪枠取付型ピボットヒンジにおいて、竪枠に設置された竪枠パッキンと前記ドアの長さ方向の一端面が当接することを特徴とするものである。
（作用）
【００１０】
請求項１記載の竪枠取付型ピボットヒンジに係る考案では、壁面に嵌め込まれた上枠に設置される上枠側トップピボットと、上部回動軸を介して前記上枠側トップピボットと連結され、ドアの上方に設置されるドア側トップピボットと、前記ドアの下方に設置されるアームと、下部回動軸を介して前記アームと連結され、床面に設置される床面軸座から構成される竪枠取付型ピボットヒンジにおいて、前記ドアの幅方向の一端面と同一直線上に前記上部回動軸及び前記下部回動軸を設けたことで、回動軸及び前記ドアの一端面とを結ぶ角は直角となり、回動軸及び前記ドアの一端面との直線は法線に当たるので、前記ドアの一端面を竪枠に当接するまで平行移動させることができる。
【００１１】
請求項２記載の竪枠取付型ピボットヒンジに係る考案では、壁面に嵌め込まれた上枠に設置される上枠側トップピボットと、上部回動軸を介して前記上枠側トップピボットと連結され、ドアの上方に設置されるドア側トップピボットと、前記ドアの下方に設置されるアームと、下部回動軸を介して前記アームと連結され、床面に設置される床面軸座から構成される竪枠取付型ピボットヒンジにおいて、前記ドアの幅方向の一端面と同一直線上に前記上部回動軸及び前記下部回動軸を設け、竪枠に設置された竪枠パッキンと前記ドアの長さ方向の一端面を当接させたことで、回動軸及び前記竪枠パッキンと前記ドアとの当接箇所及びドアの一端面とを結ぶ角は直角となり、回動軸及び前記ドアの一端面との直線は法線に当たるので、前記竪枠に竪枠パッキンを設置した遮音ドア等に設置された場合であっても、従来のように竪枠パッキンを押縮することなくドアを開閉することができる。
【考案の効果】
【００１２】
請求項１記載の竪枠取付型ピボットヒンジに係る考案では、壁面に嵌め込まれた上枠に設置される上枠側トップピボットと、上部回動軸を介して前記上枠側トップピボットと連結され、ドアの上方に設置されるドア側トップピボットと、前記ドアの下方に設置されるアームと、下部回動軸を介して前記アームと連結され、床面に設置される床面軸座から構成される竪枠取付型ピボットヒンジにおいて、前記ドアの幅方向の一端面と同一直線上に前記上部回動軸及び前記下部回動軸を設けたことで、回動軸及び前記ドアの一端面とを結ぶ角は直角となり、回動軸及び前記ドアの一端面との直線は法線に当たるので、前記ドアの一端面を前記竪枠に当接するまで平行移動させることができる。
これにより、前記ドアと前記竪枠とを密着させることができる。
【００１３】
請求項２記載の竪枠取付型ピボットヒンジに係る考案では、壁面に嵌め込まれた上枠に設置される上枠側トップピボットと、上部回動軸を介して前記上枠側トップピボットと連結され、ドアの上方に設置されるドア側トップピボットと、前記ドアの下方に設置されるアームと、下部回動軸を介して前記アームと連結され、床面に設置される床面軸座から構成される竪枠取付型ピボットヒンジにおいて、前記ドアの幅方向の一端面と同一直線上に前記上部回動軸及び前記下部回動軸を設け、前記竪枠に設置された竪枠パッキンと前記ドアの長さ方向の一端面を当接させたことで、回動軸及び前記竪枠パッキンと前記ドアとの当接箇所及びドアの一端辺とを結ぶ角は直角となるので、前記竪枠に竪枠パッキンを設置した遮音ドア等に設置された場合であっても、従来のように竪枠パッキンを押縮することなくドアは開閉することができる。
これにより、前記竪枠パッキンと前記ドアとの過度の摩擦抵抗が生ずることによる前記ドアの開閉時の操作力が大きくなることもなくなる。
更に、前記竪枠パッキンと前記ドアとの過度の摩擦抵抗が生じないことから、ドアを上枠に固着した後の微調整を行う必要もなくなり、その結果、工期の短縮及び設置の簡易化に係る作業迅速化にも繋がる。
【考案を実施するための最良の形態】
【００１４】
以下、本考案の実施の形態における竪枠取付型ピボットヒンジを図面に基づいて説明する。尚、図中、前記従来例と同一符号は同一部材を示す。
【実施例１】
【００１５】
本考案を具体化した実施形態について図１から図４に従って説明する。本考案の実施例に係る竪枠取付型ピボットヒンジ１は、主に上枠側トップピボット６、ドア側トップピボット７、アーム８及び床面軸座９を有する。
【００１６】
図１に示すように、前記竪枠取付型ピボットヒンジ１の上部は、建物の出入り口４の壁面２に嵌め込まれた前記上枠１１に設置された前記上枠側トップピボット６と、前記ドア側トップピボット７の上部回動軸１０ａを介して、前記上枠側トップピボット６に係合されドア３の上方に設置される前記ドア側トップピボット７とからなる。また、前記竪枠取付型ピボットヒンジ１の下部は、前記ドア３の下方に設置される前記アーム８と、前記床面軸座９の下部回動軸１０ｂを介して、前記アーム８に係合され、床面５に設置される前記床面軸座９からなる。これらの前記上枠１１に設置される前記竪枠取付型ピボットヒンジ１の上部及び前記床面５に設置される前記竪枠取付型ピボットヒンジ１の下部構成によって、前記ドア３は回動自在に回動軸１０に支持されている。
【００１７】
前記上枠側トップピボット６は、裏板１２を介して前記上枠１１にボルト１３で固定されている。また、前記ドア側トップピボット７は、前記裏板１２を介して前記ドア３の上方に前記ボルト１３で固定されている。また、前記アーム８は、前記裏板１２を介して前記ドア３の下方に前記ボルト１３で固定されている。
【００１８】
前記従来例と異なるところは、前記竪枠取付型ピボットヒンジ１において、前記ドア３の長さ方向の竪枠１５と前記ドア３の隙間は一定として、図２に示す前記床面軸座９の折曲角度Ｘとして前記ドア３の回動軸１０を設定していた角度を、図３に示す前記床面軸座９の折曲角度Ｙとして前記ドア３の回動軸１０を設定する点である。更に、これに加えて、前記上枠側トップピボット６、前記ドア側トップピボット７及び前記アーム８の回動軸の位置も前記ドア３の幅方向の一端面と同一直線上に位置させる点である。
【００１９】
以下、具体的に図面に基づいて説明する。図２に示す前記従来例では前記床面軸座９の折曲角度Ｘを約５°としており、この角度を本願考案では、図３に示す前記床面軸座９の折曲角度Ｙとして約２８°とする。更に、これに加えて設置後における前記ドア３の回動軸１０を前記ドア３の幅方向の一端面と同一直線上に位置するように折曲させる。
【００２０】
これにあわせて、前記従来例と同様に、前記ドア３の長さ方向の前記竪枠１５と前記ドア３の隙間は一定として、前記上枠側トップピボット６、前記ドア側トップピボット７及び前記アーム８の回動軸の位置も前記ドア３の幅方向の一端面と同一直線上に位置させる。これによって、前記回動軸１０は前記ドア３の高さ方向に対して、全て同一直線上に位置することになる。
【００２１】
次に、前記ドア３における開閉について、図３に基づいて説明する。前記竪枠取付型ピボットヒンジ１は前記ドア３の幅方向の一端面と同一直線上に位置された回動軸１０を支軸として、開閉される。このとき、前記ドア３は回動軌跡Ｂのように開閉される。
【００２２】
前記竪枠取付型ピボットヒンジ１は前記ドア３の幅方向の一端面と同一直線上に位置された回動軸１０を支軸として開閉されることから、回動軸１０及び前記竪枠パッキン１４ｂと前記ドア３との当接箇所及び前記ドア３の一端辺とを結ぶ角は直角となるので、前記ドア３は前記竪枠パッキン１４ｂを押縮させることなく開閉することができる。このように、前記竪枠パッキン１４ｂを押縮させることなく開閉させることから、前記ドア３の開閉時の操作力が大きくなることもない。また、前記ドア３と前記竪枠パッキン１４ｂとの密着性も損なわれることはない。
【００２３】
以上説明した本考案の実施例に係る竪枠取付型ピボットヒンジによれば、図４に示すように前記床面軸座９の折曲角度Ｘを約５°から、この角度を本願考案では前記床面軸座９の折曲角度Ｙとして約２８°とし、更に、これに加えて設置後における前記ドア３の回動軸１０を前記ドア３の幅方向の一端面と同一直線上に位置するように折曲させることによって、平行移動距離Ｚである１１ミリメートルだけ平行移動させたことから、前記ドア３の開閉時の回動軌跡をＡからＢにすることができる。また、これにあわせて、前記従来例と同様に、前記ドア３の長さ方向の前記竪枠１５と前記ドア３の隙間は一定として、前記上枠側トップピボット６、前記ドア側トップピボット７及び前記アーム８の前記回動軸１０の位置も前記ドア３の幅方向の一端面と同一直線上に位置させて、前記回動軸１０は前記ドア３の高さ方向に対して、全て同一直線上に位置させたことから、前記ドア３は前記竪枠パッキン１４ｂを押縮させることなく開閉することができる。このように、前記竪枠パッキン１４ｂを押縮させることなく開閉できるので、前記ドア３の開閉時の操作力が大きくなることもない。また、前記ドア３と前記竪枠パッキン１４ｂとの密着性も損なわれることはない。
また、前記ドア３を前記上枠１１に固着した後に微調整を行うことで前記竪枠パッキン１４ｂに前記ドア３を確実に当接させる工程もなくなり、結果として工期の短縮及び設置の簡易化に係る作業迅速化に繋がる。
更に、既存のドア寸法規格及び上枠寸法規格にも対応することができる。
【図面の簡単な説明】
【００２４】
【図１】従来の竪枠型ピボットヒンジのドア取付時における断面正面図である。
【図２】従来の竪枠型ピボットヒンジのドア取付時における端面平面部分図である。
【図３】本考案の実施例１に係る竪枠型ピボットヒンジのドア取付時における端面平面図である。
【図４】従来の竪枠型ピボットヒンジと本考案の実施例１に係る竪枠型ピボットヒンジにおける回動軸の位置関係を示す説明図である。
【図５】従来の竪枠型ピボットヒンジのドア取付時における端面平面図である。
【符号の説明】
【００２５】
１      竪枠型ピボットヒンジ
２      壁面
３      ドア
４      出入り口
５      床面
６      上枠側トップピボット
７      ドア側トップピボット
８      アーム
９      床面軸座
１０    回動軸
１０ａ  上部回動軸
１０ｂ  下部回動軸
１１    上枠
１２    裏板
１３    ボルト
１４ａ  上枠パッキン
１４ｂ、１４ｃ  竪枠パッキン
１５    竪枠
Ａ      回動軌跡
Ｂ      回動軌跡
Ｘ      折曲角度
Ｙ      折曲角度
Ｚ      平行移動距離
【図１】
0003128144.tif 000003
【図２】
0003128144.tif 000004
【図３】
0003128144.tif 000005
【図４】
0003128144.tif 000006
【図５】
0003128144.tif 000007